(57)【特許請求の範囲】
【請求項１】
入金口に投入された紙幣を機内に取り込んで鑑別部で鑑別しその結果リジェクト紙幣と判定された紙幣を出金／リジェクト口に繰り出させる入金処理と、機内から前記出金／リジェクト口に紙幣を繰り出させる出金処理とを行う紙幣入出金機であって、
前記出金／リジェクト口を開閉可能に設けられるとともに常に該出金／リジェクト口を閉塞する方向に付勢されるシャッタと、
前記出金／リジェクト口を閉塞する状態にある前記シャッタをロックおよびロック解除するロック手段と、
前記入金処理中において、前記ロック手段による前記シャッタのロックを解除させる制御手段と、
を有し、
前記制御手段は、前記入金処理中において、リジェクト紙幣が前記出金／リジェクト口に繰り出される所定のタイミングで前記ロック手段により前記シャッタをロックさせることを特徴とする紙幣入出金機。
【請求項２】
前記制御手段は、前記鑑別部の鑑別結果からリジェクト紙幣を検出すると、報知を行うことを特徴とする請求項１記載の紙幣入出金機。
【発明の詳細な説明】
【０００１】
【発明の属する技術分野】
本発明は、入金された紙幣を収納するとともに収納された紙幣を必要に応じて出金させる紙幣入出金機に関する。
【０００２】
【従来の技術】
入金口に投入された紙幣を機内に取り込むとともに鑑別し、鑑別結果に応じて紙幣を各金種別のスタッカに分類収納する入金処理と、各金種別のスタッカから紙幣を繰り出して出金口に繰り出させる出金処理とを行うとともに、入金処理において鑑別不能と判断された紙幣（リジェクト紙幣）を返却するためのリジェクト口を有する循環式の紙幣入出金機としては、特開平７−２７０２５５号公報に記載されたもの等がある。
他方、特開平８−７７４１１号公報には、上記のような紙幣入出金機における出金口の構成として、該出金口を閉鎖／開放可能なシャッタと、該シャッタを出金処理中は出金口を閉鎖する状態として繰り出される紙幣の機外への飛び出しを防止するとともに、その紙幣の取り出しの確認操作が行われるまでは、シャッタによる出金口の開放を規制して、繰り出された紙幣が他の者に容易に取り出されないようにするロック機構が設けられたものが記載されている。
近年、このような紙幣入出金機として、鑑別不能とされたリジェクト紙幣を返却するためのリジェクト口を設けずに、このリジェクト紙幣を出金口と共用の出金／リジェクト口に繰り出させることによって、紙幣を搬送させるための搬送経路を簡略化し、機体全体のコンパクト化を図ったものが供給されている。
当然、このような紙幣入出金機における出金／リジェクト口においても、上述したシャッタおよびロック機構が設けられているが、出金処理だけでなく入金処理においても、この出金／リジェクト口にリジェクト紙幣が繰り出される可能性があるため、その処理中はシャッタを閉鎖状態でロックしていた。
【０００３】
【発明が解決しようとする課題】
しかしながら、このように入金処理中においても出金／リジェクト口のシャッタを閉塞状態でロックしていると、出金／リジェクト口に繰り出されたリジェクト紙幣は、その入金処理において入金口にセットされる紙幣の機内への取り込みが完全に終了した後でなければ取り出すことができなくなってしまう。これは、このリジェクト紙幣について再度鑑別を試みる際に、一回の入金処理が終了した後に、出金／リジェクト口からリジェクト紙幣を取り出して入金口に投入し、再度入金開始操作を行うという作業が必要となり、非常に効率が悪いという問題があった。
【０００４】
したがって、本発明の目的は、リジェクト紙幣が出金／リジェクト口に繰り出されたときにその機外への飛び出しを防止することができるとともに、処理中であっても該リジェクト紙幣を出金／リジェクト口から取り出すことが可能な紙幣入出金機を提供することである。
【０００５】
【課題を解決するための手段】
上記目的を達成するため、本発明の請求項１記載の紙幣入出金機は、入金口に投入された紙幣を機内に取り込んで鑑別部で鑑別しその結果リジェクト紙幣と判定された紙幣を出金／リジェクト口に繰り出させる入金処理と、機内から前記出金／リジェクト口に紙幣を繰り出させる出金処理とを行うものであって、前記出金／リジェクト口を開閉可能に設けられるとともに常に該出金／リジェクト口を閉塞する方向に付勢されるシャッタと、前記出金／リジェクト口を閉塞する状態にある前記シャッタをロックおよびロック解除するロック手段と、前記入金処理中において、前記ロック手段による前記シャッタのロックを解除させる制御手段と、を有し、前記制御手段は、前記入金処理中において、リジェクト紙幣が前記出金／リジェクト口に繰り出される所定のタイミングで前記ロック手段により前記シャッタをロックさせることを特徴としている。
【０００６】
これにより、入金処理中においては、制御手段がロック手段によるシャッタのロックを解除させるため、出金／リジェクト口を閉塞する状態にあるシャッタは、付勢力で該出金／リジェクト口を閉塞している。よって、この付勢力に抗してシャッタを開けば、入金処理中においても出金／リジェクト口から紙幣を取り出すことができる。
入金処理中において、リジェクト紙幣が出金／リジェクト口に繰り出されるタイミングでシャッタを開こうとしても、制御手段がロック手段でシャッタをロックさせているため、シャッタを開くことはできない。
【０００９】
本発明の請求項２記載の紙幣入出金機は、請求項１記載のものに関して、前記制御手段は、前記鑑別部の鑑別結果からリジェクト紙幣を検出すると、報知を行うことを特徴としている。
【００１０】
これにより、リジェクト紙幣の飛び出し防止のためにシャッタを閉じていても、リジェクト紙幣が発生すると、これを報知して操作者に認識させることができる。
【００１１】
【発明の実施の形態】
以下、本発明の紙幣入出金機の一の実施の形態を図１〜図６に基づいて説明する。
まず、図１を参照して紙幣入出金機の全体構成について説明する。
【００１２】
図１等において図中左側が機体１の前面側となっている。この機体１の前面側には入金口２と出金／リジェクト口３とがそれぞれ一つずつ設けられており、入金口２には、外部から入金処理しようとする紙幣が集積状態で使用者により投入され、繰出機構５により該紙幣が１枚ずつ繰り出されて搬送路６に送られるようになっている。
【００１３】
搬送路６は、入金口２と出金／リジェクト口３とを接続させるもので、その途中には紙幣の金種、真偽、斜め送り、多重送りなどを鑑別する入出金鑑別部（鑑別部）７が設けられており、入金口２から入金された入金紙幣の中で、入出金鑑別部７により正常紙幣以外の、偽券、斜め送りおよび多重送り等のリジェクト紙幣と鑑別された紙幣を出金／リジェクト口３から外部に払い戻す。
【００１４】
また、この搬送路６の入出金鑑別部７の入金口２に対し反対側には、搬送路６から分岐して中間スタッカ８に接続される搬送路９、この搬送路９から分岐する反転用の搬送路１０およびこの搬送路９に合流する出金用の搬送路２５が設けられている。搬送路９，１０は入出金鑑別部７により正常紙幣と鑑別され各金種別に計数された紙幣を中間スタッカ８に振り分けて搬送し一時貯留あるいは収納させるものである。
【００１５】
中間スタッカ８は、機体１に対し着脱自在とされており、その機体１における前方側には、機体１に対し装着された状態の該中間スタッカ８内に進退するセパレータ１１が設けられている。
【００１６】
中間スタッカ８の上部には紙幣を出入りさせるための入出機構１２が設けられており、この入出機構１２が、紙幣を搬送路６から受け入れさせるための搬送路９を通じて、中間スタッカ８に図中右側から紙幣の収納を行い、また、搬送路１０を通じて、入出金鑑別部７で裏面と鑑別された紙幣を反転させた後、中間スタッカ８の図中左側から紙幣の収納を行い、さらに中間スタッカ８内の紙幣を搬送路２５から搬送路９に繰り出すようになっている。
【００１７】
また、中間スタッカ８内の入出機構１２の下方には水平状態を保った状態で上下方向に移動自在な１枚のエレベータ１３が設けられており、このエレベータ１３上には紙幣が水平状態で集積載置される。また、エレベータ１３は、中間スタッカ８内の下部位置から入出機構１２の一部に当接する位置までの間で、図示せぬ駆動機構で昇降駆動される。
【００１８】
中間スタッカ８では、セパレータ１１が進入した状態で、搬送路９または搬送路１０を経由して搬送された入金紙幣を一時貯留紙幣として載置し、この入金紙幣の金額をオペレータが承認した入金確定操作後、セパレータ１１が退避することで、エレベータ１３上に受け渡させる。また、必要に応じて、セパレータ１１が退避した状態でエレベータ１３が上昇してその上に載置させていた紙幣を、入出機構１２により搬送路２５を介して繰り出させる。
【００１９】
搬送路６の入金口２と入出金鑑別部７との間と、搬送路２５との間には、中間スタッカ８内の紙幣を繰り出すための搬送路１４が設けられている。
【００２０】
一方、機体１の後方下部には、それぞれ機体１に対し着脱自在とされるとともに、各金種別にそれぞれ設けられて、紙幣をそれぞれが同一金種のみ収納する一方、収納した紙幣を必要に応じて繰り出し可能な金種別スタッカ１５〜１７が設けられており、金種別スタッカ１５〜１７と搬送路９との間に搬送路２０が設けられている。
【００２１】
また、金種別スタッカ１５〜１７と搬送路２０との間には、金種別スタッカ１５〜１７に対して紙幣を振り分けて収納させるための搬送路２６〜２８と、金種別スタッカ１５〜１７から紙幣を送り出させるための搬送路２９〜３１とが設けられ、これら搬送路２６〜２８と、搬送路２９〜３１とは、金種別スタッカ１５〜１７の入出機構３３〜３５に接続されるようになっている。
金種別スタッカ１５〜１７は、その内部にエレベータ２１〜２３が設けられており、これらエレベータ２１〜２３上に紙幣が水平状態で集積収納されるようになっている。
【００２２】
ここで、搬送路２０は、搬送路９および搬送路１４を介して、入出金鑑別部７に接続されており、この入出金鑑別部７では、金種別スタッカ１５〜１７から送り出された紙幣の金種、真偽、斜め送り、多重送り等をも鑑別する。
【００２３】
搬送路６の搬送路９への接続部分と出金／リジェクト口３との間には、機体１に対し着脱自在とされ、リジェクト紙幣を収納するためのリジェクトボックス１８が設けられている。このリジェクトボックス１８は、各金種別スタッカ１５〜１７から繰り出された紙幣の中でリジェクト紙幣があった場合に、そのリジェクト紙幣を収納するものである。また、このリジェクトボックス１８は単なる箱状体であって、搬送路６に接続された搬送路２４により搬送されたリジェクト紙幣がそのまま投げ込まれて収納される。
【００２４】
出金／リジェクト口３は、図５に示すように、搬送路６の出口６ａの前方下側に設けられた受皿部４０と、この受皿部４０の上側に間隔をあけて配置された上蓋部４１と、これら受皿部４０および上蓋部４１の搬送路６に対し反対側に形成される開口部を開閉させるシャッタ４２と、シャッタ４２を閉状態でロックおよびロック解除するロック機構（ロック手段）４３とを有している。
【００２５】
シャッタ４２は、受皿部４０の前方に機体前面から見て左右方向に配置された支持軸４４に下端側が固定されており、上蓋部４１に当接する方向（図５における時計回り方向）に図示せぬバネ部材で付勢されている。
【００２６】
ロック機構４３は、機体前面から見て左右方向に回転軸４６を配置した状態で受皿部４０の下側に設けられたカム４７と、このカム４７の側面にピン４８を介して回動自在に連結された連結部材４９と、この連結部材４９の先端部にピン５０を介して回動自在に連結された連結部材５１と、連結部材５１に固定された係止ピン５２とを有している。ここで、連結部材５１の先端部は、支持軸４４に回動自在に連結されている。なお、支持軸４４には、連結部材５１の係止ピン５２に当接することにより、該支持軸４４に固定されたシャッタ４２の開方向の回動を規制するロックピン５３が固定されている。
【００２７】
ここで、ロック機構４３が図５に示すロック状態にあるとき、ロックピン５３が連結部材５１の係止ピン５２に当接することにより、閉状態にあるシャッタ４２の開方向の回動を規制しロックしている。
【００２８】
この状態から、ロック機構４３が、カム４７に連結された図６に示すモータ５４を駆動してカム４７を回転軸４６を中心として正方向（図５における反時計回り方向）に所定角度（１８０゜）回転させると、その連結部材４９および連結部材５１が、支持軸４４に一端側の位置が固定された状態でのピン４８の上昇で、中間のピン５０を支持軸４４を中心に所定方向（図５における反時計回り方向）に旋回させるよう揺動しロック解除状態となる。
【００２９】
このとき、連結部材５１に対し自由であってバネ部材の付勢力で停止されたシャッタ４２および支持軸４４はそのままの状態で、連結部材５１に固定された係止ピン５２が旋回し、支持軸４４に固定されたロックピン５３から離れることになる。この状態で、シャッタ４２はバネ部材の付勢力で閉状態とされているが、係止ピン５２がロックピン５３から離間しているため、操作者の手動によりシャッタ４２を図５に一点鎖線で示すように開放することが可能となる。なお、バネ部材は、手動でシャッタ４２を容易に開放できるが搬送路６の出口６ａから繰り出される紙幣が衝突しても開かない付勢力に設定されている。
【００３０】
また、シャッタ４２を閉塞状態でロックさせるには、ロック機構４３がロック位置に戻るまでモータ５４を逆回転させる。
なお、図６に示すようにモータ５４は、制御部（制御手段）５５に接続されており、この制御部５５には、上述した入出金鑑別部７と、操作者により外部入力操作がなされる操作部５６と、操作者に対し表示を行う表示部５７とが接続されている。
【００３１】
次に、以上の構成の紙幣入出金機の入金処理を図１等を参照して以下に説明する。
操作者により、入金口２に入金紙幣が投入された後、入金処理を選択する選択操作が操作部５６に入力されると、制御部５５は、モータ５４を駆動して、ロック機構４３をロック解除状態にする。
【００３２】
次に、図１に示すように、制御部５５は、入金口２から繰出機構５により紙幣を１枚ずつ繰り出させ、搬送路６によって搬送させて、入出金鑑別部７により真偽、金種、表裏及び斜め、多重送り等を鑑別して、「真」かつ「表」と鑑別された紙幣をすべて、搬送路６および搬送路９を順次経由して、中間スタッカ８内のセパレータ１１上に一時貯留させ、「真」かつ「裏」と鑑別された紙幣をすべて、搬送路６、搬送路９および搬送路１０を順次経由して、中間スタッカ８内のセパレータ１１上に一時貯留させる。これにより、中間スタッカ８には、リジェクト紙幣以外の正常紙幣のみがすべて、表裏取り揃えられた状態で、セパレータ１１の上に一時貯留される。
【００３３】
他方、上記「真」と鑑別された以外の、「偽」、斜めおよび多重送り等と鑑別されたリジェクト紙幣をすべて、出金／リジェクト口３に繰り出す。
ここで、入出金鑑別部７でリジェクト紙幣が検出された場合、制御部５５は、該リジェクト紙幣が出金／リジェクト口３に繰り出されるタイミングより後の予め定められた所定のタイミングで、出金／リジェクト口３にリジェクト紙幣がある旨の表示を表示部５７に行わせる。
【００３４】
なお、この表示までの間にリジェクト紙幣は出金／リジェクト口３に繰り出されてしまうことになるため、シャッタ４２はロック解除状態にあっても操作者により開かれることはなく、バネ部材の付勢力で閉じられている。したがって、リジェクト紙幣が出金／リジェクト口３に繰り出されたときにその機外への飛び出しを防止することができる。
【００３５】
そして、リジェクト紙幣が出金／リジェクト口３に繰り出された後の時点では、前記表示により、操作者が、リジェクト紙幣があることを認識してロック解除状態にあるシャッタ４２を付勢力に抗して手動で開放することができる。したがって、処理中であってもリジェクト紙幣を出金／リジェクト口３から取り出すことができる。その結果、一回の入金処理で入金口２にセットされた紙幣の機内への取り込みが終了する前に、同じ入金処理中に出金／リジェクト口３にリジェクトされたリジェクト紙幣を取り出して入金口２に再投入することができ、同じ一回の入金処理でリジェクト紙幣を再度鑑別させることができるため、処理効率を向上させることができる。
【００３６】
しかも、上記のようにリジェクト紙幣の飛び出し防止のためにバネ部材の付勢力でシャッタ４２を閉じていても、リジェクト紙幣が発生すると、これを表示部５７の表示により報知して操作者に認識させることができる。
したがって、リジェクト紙幣が出金／リジェクト口３に繰り出されたのに気付かないで入金処理を終了させてしまうことを防止できる。
【００３７】
なお、出金／リジェクト口３にリジェクト紙幣を繰り出させる際に、前に繰り出されたリジェクト紙幣を出金／リジェクト口３から抜き出すためにシャッタ４２を開放している可能性があるため、制御部５５は、一の入金処理に対し二つめ以降のリジェクト紙幣が入出金鑑別部７で検出された場合には、リジェクト紙幣が出金／リジェクト口３に繰り出される旨を表示部５７に表示させるとともにアラーム音を発生させて、その後、該リジェクト紙幣が出金／リジェクト口３に繰り出されるタイミングより前の予め定められた所定のタイミングで、モータ５４を駆動してロック機構４３をロック状態とする。これにより、シャッタ４２が閉状態でロックされる。
【００３８】
このように、入金処理中において、リジェクト紙幣が出金／リジェクト口３に繰り出されるタイミングでシャッタ４２を開こうとしても、制御部５５がロック機構４３でシャッタ４２をロックさせているため、シャッタ４２を開くことはできない。
【００３９】
したがって、リジェクト紙幣が出金／リジェクト口３に繰り出されるタイミングでシャッタ４２を開いてしまうことにより生じるリジェクト紙幣の機外への飛び出しおよびリジェクト紙幣同士の衝突（抜き取る紙幣と新たに繰り出される紙幣との衝突）による繰り出し不良を防止することができる。
【００４０】
なお、入出金鑑別部７で検出されてから出金／リジェクト口３に繰り出されるまで時間差があるため、アラームを発生させてからシャッタ４２を閉状態でロックするまで時間があり、よって、操作者の手がシャッタ４２に挟まれることを良好に回避できる。
【００４１】
ここで、上記したリジェクト紙幣が出金／リジェクト口３に繰り出される旨の表示部５７の表示に代えて、出金／リジェクト口３にリジェクト紙幣が繰り出されることを専用に表示させるＬＥＤ等の発光手段を点灯あるいは点滅させてもよい。また、リジェクト紙幣が出金／リジェクト口３に繰り出される際に、アラーム音発生および表示のいずれか一方を実行するようにしてもよい。
【００４２】
その後、このリジェクト紙幣が出金／リジェクト口３に繰り出されるタイミングより後の所定のタイミングで、制御部５５は、モータ５４を駆動して、ロック機構４３をロック解除状態にするとともに、上述と同様に、出金／リジェクト口３にリジェクト紙幣がある旨の表示を表示部５７に行わせる。これにより、操作者が、リジェクト紙幣があることを認識してロック解除状態にあるシャッタ４２を手動で開放して、リジェクト紙幣を取り出し、入金口２に残っている紙幣に合わせて再セットさせることになる。
【００４３】
なお、入出金鑑別部７で検出された紙幣が出金／リジェクト口３から繰り出されるタイミングは、入出金鑑別部７から出金／リジェクト口３までの既定の搬送距離と既定の搬送速度とから割り出され、あるいは出金／リジェクト口３までの搬送路６に所定の間隔で配置された複数のセンサの検出タイミングから割り出される。
【００４４】
そして、入金口２にセットされたすべての紙幣について、中間スタッカ８への取り込みあるいは出金／リジェクト口３へのリジェクトが終了すると、制御部５５は、入出金鑑別部７による鑑別結果に基づいて入金処理結果を表示部５７に表示させる。そして、操作者により確認操作が操作部５６を介して入力されると、制御部５５は、セパレータ１１を中間スタッカ８から外に退避させて一時貯留していた紙幣をエレベータ１３上に載置させる。
制御部５５は、以上の入金処理が完了するとモータ５４を駆動してロック機構４３をロック状態とする。
【００４５】
他方、入金処理結果に対し、操作者により入金処理のキャンセルが入力されると制御部５５は、ロック機構４３をロック状態とした上で、図２に示すように、搬送路２５，１４，６を介して、中間スタッカ８のセパレータ１１上に一時貯留させていたすべての紙幣を出金／リジェクト口３に繰り出させる返却処理を行う。
ここで、返却処理中は、ロック機構４３はロック状態とされているため、シャッタ４２を開こうとしても、シャッタ４２を開くことはできず、不用意にシャッタ４２を開いてしまうことにより生じる返却紙幣の機外への飛び出しおよび返却紙幣同士の衝突による繰り出し不良を防止することができる。
【００４６】
そして、紙幣がすべて出金／リジェクト口３に返却されたことが確認されると、制御部５５は、ロック機構４３をモータ５４の駆動によりロック解除状態とするとともに、紙幣がすべて出金／リジェクト口３に返却されたことを表示部５７に表示させる。これにより、操作者は、ロック解除状態にあるシャッタ４２を付勢力に抗して手動で開放し、返却紙幣を出金／リジェクト口３から取り出すことになる。
【００４７】
次に、出金処理について図３を参照して以下に説明する。
操作部５６から、出金指令が出されると、制御部５５は、ロック機構４３をロック状態とした上で、出金処理を開始させ、各金種別スタッカ１５〜１７より、出金額に相当する紙幣を１枚ずつ繰り出させる。
【００４８】
そして、金種別スタッカ１５〜１７から、エレベータ２１〜２３の上昇により入出機構３３〜３５で繰り出された出金紙幣を、搬送路２９〜３１から搬送路２０，９，１４，６で搬送させるとともに、搬送路６の途中の入出金鑑別部７において、金種及び斜め、多重送り等を鑑別させ、その鑑別の結果、何等異常がない正常紙幣であればそのまま出金／リジェクト口３まで搬送させる。鑑別の結果、斜めあるいは多重送り等、異常ありと鑑別されたリジェクト紙幣は、出金／リジェクト口３へは搬送させず、搬送路２４を経由して、リジェクトボックス１８内へ搬送させて収納させる。
【００４９】
ここで、出金処理中は、ロック機構４３はロック状態とされているため、シャッタ４２を開こうとしても、シャッタ４２を開くことはできず、不用意にシャッタ４２を開いてしまうことにより生じる出金紙幣の機外への飛び出しおよび出金紙幣同士の衝突による繰り出し不良を防止することができる。
【００５０】
そして、出金指令に基づく紙幣がすべて出金／リジェクト口３に出金されたことが確認されると、制御部５５は、ロック機構４３をモータ５４の駆動によりロック解除状態とするとともに、必要な紙幣がすべて出金／リジェクト口３に出金されたことを表示部５７に表示させる。これにより、操作者は、ロック解除状態にあるシャッタ４２を付勢力に抗して手動で開放し、出金紙幣を出金／リジェクト口３から取り出すことになる。
【００５１】
次に、分配処理について図４を参照して説明する。
入金処理の後、制御部４５は、入金処理および出金処理が実行中でないことを条件として、以下の分配処理を必要に応じて行う。
【００５２】
それまで中間スタッカ８に収納されていた紙幣を、搬送路２５，１４，６，９，２０によって、各金種別スタッカ１５〜１７に収納させる。すなわち、エレベータ１３を上昇させて、その上の集積紙幣を入出機構１２により中間スタッカ８から繰り出させる。そして、このようにして繰り出された紙幣を、搬送路２５，１４，６を通じて入出金鑑別部７へ送り、更に入出金鑑別部７により鑑別した後に、その鑑別結果に基づいて、異常のない正常紙幣のみを、搬送路９，２０および搬送路２６〜２８を経由して、金種別スタッカ１５〜１７へ金種別に振り分け、収納させる。
【００５３】
この際、入出金鑑別部７により、斜めあるいは多重送り等、異常ありと鑑別された紙幣は、搬送路６および搬送路２４を通じてリジェクトボックス１８に振り分けられて収納されることになる。
なお、分配処理においては、出金／リジェクト口３に紙幣が繰り出されることはないが、ロック機構４３はロック状態としている。
【００５４】
【発明の効果】
以上詳述したように、本発明の請求項１記載の紙幣入出金機によれば、入金処理中においては、制御手段がロック手段によるシャッタのロックを解除させるため、出金／リジェクト口を閉塞する状態にあるシャッタは、付勢力で該出金／リジェクト口を閉塞している。よって、この付勢力に抗してシャッタを開けば、入金処理中においても出金／リジェクト口から紙幣を取り出すことができる。
したがって、特に開こうとしなければシャッタは付勢力で閉じているため、リジェクト紙幣が出金／リジェクト口に繰り出されたときにその機外への飛び出しを防止することができるとともに、付勢力に抗してシャッタを開けば、処理中であっても該リジェクト紙幣を出金／リジェクト口から取り出すことができる。その結果、一回の入金処理で入金口にセットされた紙幣の機内への取り込みが終了する前に、同じ入金処理中に出金／リジェクト口にリジェクトされたリジェクト紙幣を取り出して入金口に再投入することができ、同じ一回の入金処理でリジェクト紙幣を再度鑑別させることができるため、処理効率を向上させることができる。
入金処理中において、リジェクト紙幣が出金／リジェクト口に繰り出されるタイミングでシャッタを開こうとしても、制御手段がロック手段でシャッタをロックさせているため、シャッタを開くことはできない。
したがって、リジェクト紙幣が出金／リジェクト口に繰り出されるタイミングでシャッタを開いてしまうことにより生じるリジェクト紙幣の機外への飛び出しおよびリジェクト紙幣同士の衝突による繰り出し不良を防止することができる。
【００５６】
本発明の請求項２記載の紙幣入出金機によれば、リジェクト紙幣の飛び出し防止のためにシャッタを閉じていても、リジェクト紙幣が発生すると、これを報知して操作者に認識させることができる。
したがって、リジェクト紙幣が出金／リジェクト口に繰り出されたのに気付かないで入金処理を終了させてしまうことを防止できる。
【図面の簡単な説明】
【図１】本発明の紙幣入出金機の一の実施の形態を概略的に示す構成図であって入金処理時の紙幣の流れを矢印で示す図である。
【図２】本発明の紙幣入出金機の一の実施の形態を概略的に示す構成図であって返却処理時の紙幣の流れを矢印で示す図である。
【図３】本発明の紙幣入出金機の一の実施の形態を概略的に示す構成図であって出金処理時の紙幣の流れを矢印で示す図である。
【図４】本発明の紙幣入出金機の一の実施の形態を概略的に示す構成図であって分配処理時の紙幣の流れを矢印で示す図である。
【図５】本発明の紙幣入出金機の一の実施の形態の出金／リジェクト口を示す側断面図である。
【図６】本発明の紙幣入出金機の一の実施の形態の制御系の要部を示すブロック図である。
【符号の説明】
１  機体
２  入金口
３  出金／リジェクト口
７  入出金鑑別部（鑑別部）
４２  シャッタ
４３  ロック機構（ロック手段）
５５  制御部（制御手段）
【図１】
0003558856.tif 000002
【図２】
0003558856.tif 000003
【図３】
0003558856.tif 000004
【図４】
0003558856.tif 000005
【図５】
0003558856.tif 000006
【図６】
0003558856.tif 000007